(57)【特許請求の範囲】
【請求項１】
箱状の本体ケースと、
前記本体ケースの内側にセットされるものであり長手方向に複数の表示用の画像が描かれたフィルムと、
前記フィルムを巻き取って前記画像を第一の方向にスクロールさせる第一のローラと、
前記フィルムを巻き取って前記第一の方向の反対方向である第二の方向に前記画像をスクロールさせる第二のローラと、
前記画像のスクロールを制御するコントローラと、
前記フィルムが弛んでも前記本体ケースの奥に入り込まないように前記フィルムを案内するものであって光透過のための孔を有するガイドと、
前記フィルムに付された一時停止サインまたは終端サインを検出する検出手段と、が設けられ、
前記検出手段は、前記ガイドに設けられた前記孔に向けて光を照射し、前記孔の前を通過する前記フィルムからの反射光の変化によって前記一時停止サインまたは前記終端サインを検出するものであり、
前記コントローラは、前記検出手段が前記一時停止サインを検出した場合は、前記画像のスクロールが停止し、所定の時間の経過後、前記画像のスクロールが再開するように、前記第一のローラおよび前記第二のローラを制御し、
前記検出手段が前記終端サインを検出した場合は、前記画像のスクロールの方向が変わるように前記第一のローラおよび前記第二のローラを制御する、
ことを特徴とする表示装置。
【請求項２】
前記検出手段は、第一のセンサおよび第二のセンサによって構成され、
前記第一のセンサは、前記一時停止サインを検出し、
前記第二のセンサは、前記終端サインを検出する、
請求項１記載の表示装置。
【請求項３】
前記コントローラに命令を与えるための入力手段が設けられ、
前記コントローラは、
前記入力手段によって自動制御命令が与えられた場合は、前記検出手段の検出結果に従って前記第一のローラおよび前記第二のローラを制御し、
第一の手動スクロール命令が与えられた場合は、前記一時停止サインの検出の有無に関わらず前記画像が前記第一の方向にスクロールするように制御し、
第二の手動スクロール命令が与えられた場合は、前記一時停止サインの検出の有無に関わらず前記画像が前記第二の方向にスクロールするように制御する、
請求項１または請求項２記載の表示装置。
【請求項４】
前記第一のローラおよび前記第二のローラは、幅方向の端に前記一時停止サインを付すための一時停止サイン領域および前記終端サインを付すための終端サイン領域が設けられた前記フィルムを巻き取り、
前記第一のセンサは、所定の位置を通過する前記フィルムの前記一時停止サイン領域で反射する光を検出し、前記光の変化に基づいて前記一時停止サインを検出し、
前記第二のセンサは、所定の位置を通過する前記フィルムの前記終端サイン領域で反射する光を検出し、前記光の変化に基づいて前記終端サインを検出する、
請求項２記載の表示装置。
【発明の詳細な説明】
【０００１】
【発明の属する技術分野】
本発明は、広告塔、広告看板、案内板、装飾写真板、または表示板などの表示装置に関する。
【０００２】
【従来の技術】
従来より、長手方向に複数の画像が描かれたフィルムを巻き取ることによって、表示する画像をスクロールさせて他の画像に変えることができる表示装置が提案されている。フィルム上の画像は、長手方向がそれぞれ同じサイズなので、表示装置は、所定の時間ごとに画像の長手方向の長さだけフィルムを巻き取ればよい。
【０００３】
【発明が解決しようとする課題】
ところが、係る表示装置によると、長手方向のサイズの異なる画像がフィルムに含まれる場合は、画像を変える際にスクロールの距離が足りなかったりまたはスクロールし過ぎるなど、画像を好適に表示することができない。
【０００４】
本発明は、このような問題点に鑑み、長手方向のサイズの異なる画像がフィルムに含まれる場合であっても、好適な位置に画像を表示することができる表示装置を提供することを目的とする。
【０００５】
本発明に係る表示装置は、箱状の本体ケースと、前記本体ケースの内側にセットされるものであり長手方向に複数の表示用の画像が描かれたフィルムと、前記フィルムを巻き取って前記画像を第一の方向にスクロールさせる第一のローラと、前記フィルムを巻き取って前記第一の方向の反対方向である第二の方向に前記画像をスクロールさせる第二のローラと、前記画像のスクロールを制御するコントローラと、前記フィルムが弛んでも前記本体ケースの奥に入り込まないように前記フィルムを案内するものであって光透過のための孔を有するガイドと、前記フィルムに付された一時停止サインまたは終端サインを検出する検出手段と、が設けられ、前記検出手段は、前記ガイドに設けられた前記孔に向けて光を照射し、前記孔の前を通過する前記フィルムからの反射光の変化によって前記一時停止サインまたは前記終端サインを検出するものであり、前記コントローラは、前記検出手段が前記一時停止サインを検出した場合は、前記画像のスクロールが停止し、所定の時間の経過後、前記画像のスクロールが再開するように、前記第一のローラおよび前記第二のローラを制御し、前記検出手段が前記終端サインを検出した場合は、前記画像のスクロールの方向が変わるように前記第一のローラおよび前記第二のローラを制御する。
【０００６】
好ましくは、前記検出手段は、第一のセンサおよび第二のセンサによって構成され、前記第一のセンサは、前記一時停止サインを検出し、前記第二のセンサは、前記終端サインを検出する。
【０００７】
または、前記コントローラに命令を与えるための入力手段が設けられ、前記コントローラは、前記入力手段によって自動制御命令が与えられた場合は、前記検出手段の検出結果に従って前記第一のローラおよび前記第二のローラを制御し、第一の手動スクロール命令が与えられた場合は、前記一時停止サインの検出の有無に関わらず、前記画像が前記第一の方向にスクロールするように制御し、第二の手動スクロール命令が与えられた場合は、前記一時停止サインの検出の有無に関わらず、前記画像が前記第二の方向にスクロールするように制御する。
【０００８】
または、前記第一のローラおよび前記第二のローラは、幅方向の端に前記一時停止サインを付すための一時停止サイン領域および前記終端サインを付すための終端サイン領域が設けられた前記フィルムを巻き取り、前記第一のセンサは、所定の位置を通過する前記フィルムの前記一時停止サイン領域で反射する光を検出し、前記光の変化に基づいて前記一時停止サインを検出し、前記第二のセンサは、所定の位置を通過する前記フィルムの前記終端サイン領域で反射する光を検出し、前記光の変化に基づいて前記終端サインを検出する。
【０００９】
【発明の実施の形態】
図１は正面から見た表示装置１の斜視図、図２は背面から見た表示装置１の斜視図、図３はフィルム２の正面図、図４は第一のスクロール部１５の斜視図、図５は表示装置１の正面図、図６はガイド１４ｅおよびフィルム２の縦断面図、図７はスクロールに関する制御を説明する図である。
【００１０】
本発明に係る表示装置１は、広告塔、広告看板、案内板、装飾写真板、または表示板などとして用いられる。
図１および図２に示すように、表示装置１は、上下方向に長い直方体の箱状の本体ケース１１、扉１２、および本体ケース１１を支持する支持体１３などによって構成される。
【００１１】
本体ケース１１の正面は開口しており、本体ケース１１の一方の側板１１ｂには、矢印Ｌ１に示す方向に開閉可能なように扉１２が取り付けられている。本体ケース１１には、図３に示すような長手方向に複数の表示用の画像２１（２１１、２１２、２１３、２１４…２１ｎ）の描かれたフィルム２がセットされる。なお、図３（Ａ）〜（Ｃ）は、それぞれ、フィルム２の長手方向の上端２ＴＰ付近、中間付近、および下端２ＢＭ付近を示している。フィルム２として、例えば、乳白色の印刷フィルムなどが用いられる。
【００１２】
フィルム２の下端２ＢＭおよび上端２ＴＰには、フィルム２を本体ケース１１にセットするための舌片部２ａ１、２ａ２および舌片部２ａ３、２ａ４がそれぞれ設けられている。また、フィルム２の幅方向の端２Ｗ１、２Ｗ２には、それぞれ、一時停止サイン２３を貼り付けるための一時停止サイン領域２Ｅ１および終端サイン２４を貼り付けるための終端サイン領域２Ｅ２が帯状に設けられている。一時停止サイン領域２Ｅ１および終端サイン領域２Ｅ２は、光を反射する。一時停止サイン２３および終端サイン２４は、画像２１のスクロールに関する制御に用いられる。これについては、後に説明する。また、一時停止サイン２３および終端サイン２４として黒色の粘着テープが用いられる。
【００１３】
図１に戻って、扉１２は、フィルム２の画像２１の表示面となる透明板１２ａおよびその周りを囲う外枠１２ｂからなる。透明板１２ａの幅は、フィルム２に描かれている画像２１の幅とほぼ同じである。透明板１２ａとして、例えば、透明のアクリル樹脂板またはガラス板などが用いられる。
【００１４】
本体ケース１１の内側には、ガイド１４ａ〜１４ｆ、本体ケース１１の下方向にフィルム２を巻き取る第一のスクロール部１５、上方向にフィルム２を巻き取る第二のスクロール部１６、光源１７、一時停止サイン２３を検出する第一のセンサ１８ａ、終端サイン２４を検出する第二のセンサ１８ｂ、制御回路１８ｃ、ダイヤル１８ｄ、操作ボタン１８ｅ、１８ｆ、および光源１７などに電源を供給する電源装置１９などが設けられている。
【００１５】
図４に示すように、第一のスクロール部１５は、ローラ１５ａ、ベルト１５ｂ、プーリ１５ｃ、モータ１５ｄ、およびブラケット１５ｅなどによって構成される。
【００１６】
ローラ１５ａの中心に設けられた孔１５ａ１には、軸棒１１ａが回転可能に貫通している。軸棒１１ａの両端は、本体ケース１１の側板１１ｂ、１１ｃに固定されている。したがって、ローラ１５ａは、軸棒１１ａの中心軸Ｌ２を回転軸として回転可能である。
【００１７】
ローラ１５ａの上方には、モータ１５ｄがブラケット１５ｅを介して側板１１ｃに取り付けられている。モータ１５ｄの出力軸にプーリ１５ｃが取り付けられている。ベルト１５ｂは、プーリ１５ｃのリム１５ｃ１およびローラ１５ａのリム１５ａ４に掛けられている。したがって、モータ１５ｄが駆動するとプーリ１５ｃが回転し、これに連動してローラ１５ａが回転する。
【００１８】
さらに、ローラ１５ａには、フィルム２をセットするための２つの溝１５ａ２、１５ａ３が設けられている。フィルム２の下端２ＢＭの舌片部２ａ１、２ａ２を溝１５ａ２、１５ａ３にそれぞれ嵌め込み、ローラ１５ａを回転させてフィルム２を少し巻き取ることによって、フィルム２が第一のスクロール部１５にセットされる。
【００１９】
図１に戻って、第二のスクロール部１６は、第一のスクロール部１５と同様の構成である。ただし、ローラ１６ａとプーリ１６ｃおよびモータ１６ｄなどとの上下方向の位置関係が逆である。モータ１６ｄが駆動すると、ローラ１６ａが回転する。また、フィルム２の上端２ＴＰに設けられた舌片部２ａ３、２ａ４をローラ１６ａの溝１６ａ２、１６ａ３に嵌め込み、フィルム２を少し巻き取ることによって、フィルム２が第二のスクロール部１６にセットされる。
【００２０】
ガイド１４ａ〜１４ｆは、本体ケース１１にセットされたフィルム２が弛んでも本体ケース１１の奥に入り込まないようにする。
光源１７は、４本の直管形の蛍光灯１７ａ〜１７ｄからなる。蛍光灯１７ａ〜１７ｄは、本体ケース１１の背面板１１ｄに沿って、本体ケース１１の長手方向に平行に設けられている。本体ケース１１にフィルム２をセットし扉１２を閉めた後、光源１７のスイッチを入れてフィルム２に光を照射すると、画像２１が鮮明に見える。
【００２１】
第一のセンサ１８ａおよび第二のセンサ１８ｂとして、フォトセンサが用いられる。第一のセンサ１８ａは、ガイド１４ｅに設けられた孔１４ｍの前を通過する一時停止サイン２３を検出する。すなわち、図６に示すように、第一のセンサ１８ａは、孔１４ｍに向けて光を照射してガイド溝１４５を通過するフィルム２を検出する。フィルム２に一時停止サイン２３が貼り付けられていない場合は、フィルム２で反射した光（反射光）を検出する。ところが、一時停止サイン２３が通過すると、一時停止サイン２３が黒色なので反射光は検出されない。つまり、一時停止サイン２３が通過したときの反射光の変化によって一時停止サイン２３を検出する。同様に、第二のセンサ１８ｂは、ガイド１４ｂに設けられた孔１４ｎを通過する終端サイン２４を検出する。
【００２２】
制御回路１８ｃは、自動モードにおいては、第一のセンサ１８ａおよび第二のセンサ１８ｂの検出結果に基づいて第一のスクロール部１５および第二のスクロール部１６の動作を制御する。第一のセンサ１８ａが一時停止サイン２３を検出した場合は、フィルム２の巻き取りを一時停止するように制御する。第二のスクロール部１６が終端サイン２４を検出した場合は、スクロールの方向が変わるように制御する。手動モードにおいては、ユーザによる操作ボタン１８ｅ、１８ｆの操作に基づいて制御する。
【００２３】
次に、自動モードにおける第一のスクロール部１５および第二のスクロール部１６の制御の流れを、図７を参照して説明する。
図７に示すように、自動モードで表示装置１の運転を開始すると（ｔ＝Ｔ０）、第二のスクロール部１６のローラ１６ａ（図７において、「上ローラ」と記載する。）が回転しフィルム２を巻き取り、画像２１を上方向にスクロールさせる。このとき、第一のスクロール部１５のモータ１５ｄが弱い力で駆動し、ローラ１５ａ（図７において、「下ローラ」と記載する。）を回転させようとする。これにより、上方向へのスクロールに対するブレーキとなり、フィルム２が弛まないようにする。
【００２４】
第一のセンサ１８ａが一時停止サイン２３を検出すると（ｔ＝Ｔ１）、上ローラにブレーキが掛かり、スクロールを停止する。所定の時間（Ｔα）の経過後（ｔ＝Ｔ２）、上ローラの回転を始め、再び上方向へのスクロールを行う。第一のセンサ１８ａが一時停止サイン２３を検出するごとに一時停止を繰り返す。
【００２５】
第二のセンサ１８ｂが終端サイン２４を検出し第一のセンサ１８ａが一時停止サイン２３を検出すると（ｔ＝Ｔ５）、スクロールを所定の時間（Ｔα）停止した後、今度は下方向へのスクロールを開始する（ｔ＝Ｔ６）。なお、終端サイン２４のみを検出したときは、所定の時間停止してから逆方向にスクロールしてもよいし、直ちに逆方向にスクロールしてもよい。
【００２６】
同様に、第一のセンサ１８ａが一時停止サイン２３を検出するごとに一時停止を繰り返す。そして、再び、第二のセンサ１８ｂが終端サイン２４を検出し第一のセンサ１８ａが一時停止サイン２３を検出すると（ｔ＝Ｔｐ）、スクロールの方向を上方向に変える（ｔ＝Ｔｑ）。
【００２７】
一時停止の時間Ｔαは、ダイヤル１８ｄによって設定される。ダイヤル１８ｄを右に回すと時間Ｔαが長く設定され、左に回すと短く設定される。
自動モードと手動モードとを切り換えるには、操作ボタン１８ｅ、１８ｆの両方を所定の時間（例えば、５秒以上）押し続ける。
【００２８】
手動モードにおいて、操作ボタン１８ｅが押されると制御回路１８ｃに上スクロール命令が与えられ、一時停止サイン２３の有無に関わらず画像２１を上方向にスクロールさせる。スクロールは、操作ボタン１８ｅが押されている間行われ、操作ボタン１８ｅから手が離されると停止する。同様に、操作ボタン１８ｆが押されると制御回路１８ｃに下スクロール命令が与えられ、画像２１を下方向にスクロールさせる。
【００２９】
一時停止サイン２３をフィルム２に貼り付けるには、まず、手動モードでスクロールを行い、画像２１を一時停止させたい位置に止める。そして、ガイド１４ｅの孔１４ｍに重なる位置を見つけ、係る位置のフィルム２の裏面に一時停止サイン２３を貼り付ける。終端サイン２４についても同様である。
【００３０】
本実施形態によると、フィルム２に長手方向のサイズの異なる画像２１が混在していても、一時停止サイン２３を貼り付ける位置を変えることによって画像２１ごとに一時停止する位置を設定し、ユーザの所望する位置に画像を表示することができる。例えば、まず、図３（Ａ）の２つの画像２１１、２１２を同時に表示し、次に、画像２１２とその下の画像を同時に表示する。また、まず、図３（Ｂ）の画像２１４の上半分をその上の画像２１３とともに表示し、次に、画像２１４の全体を表示し、そして、画像２１４の下半分をその下の画像とともに表示する。このように、画像を任意の位置で表示することができる。
【００３１】
なお、本実施形態では、２つのフォトセンサを用いて一時停止サインおよび終端サインを検出したが、一時停止サイン２３および終端サイン２４にそれぞれ色の異なる粘着テープを用い、１つのフォトセンサによってこれらを検出するようにしてもよい。また、画像２１を上下方向にスクロールさせたが、左右方向にスクロールさせてもよい。表示装置１の表示面は、円柱の周面の一部分のように湾曲していてもよい。
【００３２】
また、フィルム２に貼り付けられる終端サイン２４は２枚とは限らない。例えば、フィルム２の上端２ＴＰから順に図示しない４枚の終端サイン２４ａ〜２４ｄを貼り付ける。そして、平日は終端サイン２４ａ、２４ｂ間を往復させ、休日は終端サイン２４ｃ、２４ｂ間を往復させるようにして、日ごとに表示させる画像を変えることができるようにしてもよい。
【００３３】
その他、本発明の表示装置１の全体および各部の構成または処理順序などは、本発明の趣旨に沿って適宜変更することができる。
【００３４】
【発明の効果】
本発明によると、長手方向のサイズの異なる画像がフィルムに含まれる場合であっても、好適な位置に画像を表示することができる。
【図面の簡単な説明】
【図１】正面から見た表示装置の斜視図である。
【図２】背面から見た表示装置の斜視図である。
【図３】フィルムの正面図である。
【図４】第一のスクロール部の斜視図である。
【図５】表示装置の正面図である。
【図６】ガイドおよびフィルムの縦断面図である。
【図７】スクロールに関する制御を説明する図である。
【符号の説明】
１  表示装置
１５ａ  ローラ（第一のローラ）
１６ａ  ローラ（第二のローラ）
１８ａ  第一のセンサ（検出手段）
１８ｂ  第二のセンサ（検出手段）
１８ｃ  制御回路（コントローラ）
１８ｅ、１８ｆ  操作ボタン（入力手段）
２  フィルム
２１  画像
２３  一時停止サイン
２４  終端サイン
２Ｅ１  一時停止サイン領域
２Ｅ２  終端サイン領域
【図１】
0004688349.tif 000002
【図２】
0004688349.tif 000003
【図３】
0004688349.tif 000004
【図４】
0004688349.tif 000005
【図５】
0004688349.tif 000006
【図６】
0004688349.tif 000007
【図７】
0004688349.tif 000008